(57)【要約】モジュール式呼吸装置、およびそれらを取り換える方法を提供する。モジュール式呼吸装置は、全面体シールまたはフードのような、交換できる顔面レンズおよび身体シールを有する。全面体呼吸装置からフード形呼吸装置へ、または逆の取り換え方法もまた開示される。一実施形態において、レンズ交換が身体シールの型を変更せずに達成される。別の実施形態において、呼吸に適したガス供給経路が顔面レンズに連結され、顔面レンズと共に身体シールと交換される。
2004523277.tif 000002
【特許請求の範囲】
【請求項１】
呼吸装置マスクを第１型の身体シールから第２型の身体シールへ取り換える方法であって、
呼吸装置マスクは顔面レンズを有し、該レンズはレンズの周りに延在する周辺シーリング縁を有し、
レンズの周辺シーリング縁と第１型の身体シールのレンズ開口との間のシールをはずす工程と、
レンズを第１型の身体シールのレンズ開口から取り外す工程と、
レンズを第２型の身体シールのレンズ開口内に整列させる工程と、
レンズの周辺シーリング縁と第２型の身体シールのレンズ開口との間にシールを形成する工程と、を含む方法。
【請求項２】
上記第１型の身体シールが、全面体シール、呼吸装置フード、および全身呼吸装置スーツからなる群より選択される請求項１に記載の方法。
【請求項３】
上記第２型の身体シールが、全面体シール、呼吸装置フード、および全身呼吸装置スーツからなる群より選択される請求項２に記載の方法。
【請求項４】
上記呼吸装置マスクが、レンズの周辺シーリング縁の対向した縁部分および上記第１型の身体シールの上記レンズ開口を付勢するクランプ素子を有し、
上記取り外す工程がクランプ素子を緩める工程を含む請求項１に記載の方法。
【請求項５】
上記緩める工程が、クランプ素子の対向したネジ込み留め具を引き離す工程を含む請求項４に記載の方法。
【請求項６】
上記緩める工程が、クランプ素子を呼吸装置マスクから弾力的に離脱させる工程を含む請求項４に記載の方法。
【請求項７】
上記緩める工程が、クランプ素子のラッチ機構を取り外す工程を含む請求項４に記載の方法。
【請求項８】
上記緩める工程が工具を全く必要としない請求項４に記載の方法。
【請求項９】
対向した縁部分の１つまたは両方が微細構造のシーリング面を含む請求項４に記載の方法。
【請求項１０】
上記対向した縁部分が、協働する機械的係合面を含む請求項４に記載の方法。
【請求項１１】
呼吸装置マスクを全面体呼吸装置からフード呼吸装置へ取り換える方法であって、
呼吸装置マスクは顔面レンズを有し、該レンズはレンズの周りに延在する周辺シーリング縁を有し、
全面体呼吸装置のシールをその周辺シーリング縁の周りのマスクの顔面レンズに対する気密の係合からはずす工程と、
レンズを全面体呼吸装置から取り外す工程と、
フード呼吸装置のレンズ開口をマスクの周辺シーリング縁と気密の係合状態で整列させる工程と、
フード呼吸装置のレンズ開口をマスクの周辺シーリング縁に気密状態で取り付ける工程と、を含む方法。
【請求項１２】
フード呼吸装置であって、
レンズ開口を有する頭を覆う部分と、着用者の首、肩、または他の体の表面でシールを形成するために形づくられた身体シーリング部分とを有する覆いと、
レンズの周りに延在する周辺シーリング縁を有する顔面レンズと、
覆いのレンズ開口とレンズの周辺シーリング縁との間の離脱できる継手であって、レンズは覆いに気密状態で取り付けられる第１係合状態と、レンズは覆いから取り外すことができる第２解放状態とを有する継手と、
フードに流体結合された呼吸に適したガス供給経路と、を備えるフード呼吸装置。
【請求項１３】
上記周辺シーリング縁がレンズの一体化した周辺縁である請求項１２に記載のフード呼吸装置。
【請求項１４】
上記顔面レンズの周りに配置されたレンズフレームであって、前記周辺シーリング縁が該レンズフレームの周囲縁であるレンズフレームをさらに備える請求項１２に記載のフード呼吸装置。
【請求項１５】
離脱できる継手が、対向したネジ込み部材、対向した縁部分に沿って少なくとも部分的に延在する伸縮するバンド、および
ラッチ機構からなる群より選択される請求項１２に記載のフード呼吸装置。
【請求項１６】
対向した縁部分の１つまたは両方が微細構造のシーリング面を含む請求項１２に記載のフード呼吸装置。
【請求項１７】
対向した縁部分が、協働する機械的係合面を含む請求項１２に記載のフード呼吸装置。
【請求項１８】
レンズに連結された全面体シールを含み、
覆いが、離脱できる継手を介して覆いのレンズ開口と該レンズの周りに延在する周辺シーリング縁との間に、全面体シールに重ね合わされる請求項１２に記載のフード呼吸装置。
【請求項１９】
呼吸に適したガス供給経路が、前記フードと覆いを介して流体連通する請求項１２に記載のフード呼吸装置。
【請求項２０】
上記呼吸に適したガス供給経路が、前記フードとレンズを介して流体連通する請求項１２に記載のフード呼吸装置。
【請求項２１】
フード呼吸装置であって、
レンズ開口を有する頭を覆う部分と、着用者の首、肩、または他の体の表面でシールを実質的に形成するために形づくられた身体シーリング部分とを有する覆いと、
顔面レンズ、マスクの周りの周辺シーリング縁、および呼吸に適したガス供給経路を有する呼吸装置マスクと、
覆いの前面開口とマスクの周辺シーリング縁との間の離脱できる継手であって、マスクは覆いに気密状態で取り付けられる第１係合状態と、マスクは覆いから取り外すことができる第２解放状態とを有する継手とを備えるフード呼吸装置。
【請求項２２】
上記呼吸に適したガス供給経路が、マスクにレンズを介して連結される請求項２１に記載のフード呼吸装置。
【請求項２３】
上記呼吸装置マスクが全面体シールを有し、
覆いが、離脱できる継手を介して覆いのマスク開口とマスクの周りの周辺シーリング縁との間に、全面体シールに重ね合わされる請求項２１に記載のフード呼吸装置。
【請求項２４】
上記全面体シールが前記呼吸装置マスクから取り外せる請求項２３に記載のフード呼吸装置。
【請求項２５】
上記呼吸装置マスクに取り付けられた固定用ベルトであって、該呼吸装置マスクを顔に取り付けるために構成される固定用ベルトをさらに備える請求項２１に記載のフード呼吸装置。
【請求項２６】
上記呼吸装置マスクがノーズカップを有する請求項２１に記載のフード呼吸装置。
【請求項２７】
上記ノーズカップが前記呼吸装置マスクから取り外せる請求項２６に記載のフード呼吸装置。
【請求項２８】
上記フードに取り付けられた留め具であって、前記ノーズカップを鼻または口の上に取り付けるのに適当であり、該フードの外側から締め付けられたり、緩められたりされ得る留め具をさらに備える請求項２６に記載のフード呼吸装置。
【請求項２９】
呼吸装置キットであって、
少なくとも第１型の身体シールと、第２型の身体シールとを備える複数の身体シールであって、各々にレンズ開口が画定される身体シールと、
周辺シーリング縁をレンズの周りに有する、少なくとも１つの顔面レンズであって、該レンズの周辺シーリング縁、および結合される場合、シールが身体シールとレンズとの間に画定される、身体シールのレンズ開口に沿って、各身体シールに選択的に取り外せるように結合され得る顔面レンズと、
身体シールまたはレンズの各々と流体結合され得る、呼吸に適したガス供給経路とを備える呼吸装置キット。
【請求項３０】
上記第１および第２型の身体シールの各々が、全面体シール、呼吸装置フード、および全身呼吸装置スーツからなる群より選択される請求項２９に記載の呼吸装置キット。
【請求項３１】
上記第１型の身体シールが、シールを顔と共に形成できる全面体シールである請求項２９に記載の呼吸装置キット。
【請求項３２】
上記第２型の身体シールが、前記呼吸装置フードおよび前記全身呼吸装置スーツからなる群より選択される請求項３１に記載の呼吸装置キット。
【請求項３３】
レンズの周辺シーリング縁の対向した縁部分およびレンズ開口を付勢するように構成される継手をさらに備える請求項２９に記載の呼吸装置キット。
【請求項３４】
対向した縁部分の１つまたは両方が微細構造のシーリング面を含む請求項３３に記載の呼吸装置キット。
【請求項３５】
対向した縁部分が、協働する機械的係合面を含む請求項３３に記載の呼吸装置キット。
【請求項３６】
呼吸に適したガス供給経路が、各型の身体シールとその部分を介して流体連通するように構成される請求項２９に記載の呼吸装置キット。
【請求項３７】
呼吸に適したガス供給経路が、レンズと流体連通するように構成される請求項２９に記載の呼吸装置キット。
【請求項３８】
呼吸装置キットであって、
少なくとも１つの呼吸装置フードであって、各々にマスク開口が画定される呼吸装置フードと、
顔面レンズ、該レンズに結合された全面体シール、およびマスクの周りに延在する周辺シーリング縁を有する、少なくとも１つの呼吸装置マスクであって、結合される場合、フードは全面体シールに重ねあわされ、該シールは該フードとマスクとの間に画定されるように、マスクの周辺シーリング縁およびフードのマスク開口に沿って、選択的に取り外せるように結合され得るマスクと、
マスクまたはフードと流体連結され得る、呼吸に適したガス供給経路とを備える呼吸装置キット。
【請求項３９】
上記全面体シールがマスクから取り外せる請求項３８に記載の呼吸装置キット。
【請求項４０】
上記フードが全身呼吸装置スーツである請求項３８に記載の呼吸装置キット。
【請求項４１】
呼吸に適したガス供給経路が、レンズを介してマスクと流体連通するように構成される請求項３８に記載の呼吸装置キット。
【発明の詳細な説明】
【技術分野】
【０００１】
本発明は呼吸装置、具体的にいえばモジュール式呼吸装置、および呼吸装置間で部品を取り換える方法に関する。
【背景技術】
【０００２】
呼吸に適した空気を着用者に供給する呼吸装置はよく知られており、長年使用されてきた。そのような呼吸装置は、給気が汚染される、軍用および産業用分野で、消防士によって使用されるマスクを含む。呼吸用に清浄な空気を鼻および口に供給するのに加えて、フルフェイスシールドがまた、目および顔を有害な、または刺激性のガスおよび他の物質から護る。そのようなマスクは一般的に透明なフルフェイスシールドを含み、取外し可能かつ交換可能なフィルタ素子、または給気に対するコネクタを受け入れるマウントも含む。
【０００３】
よく使われている、いくつかの特定の型の呼吸装置があり、フィルタリング面体、ハーフフェイスマスクまたは半面体呼吸装置、全面体呼吸装置、フード形呼吸装置、または面体と組み合わせたフード形呼吸装置を含む。各呼吸装置は固定された単一の設計であり、モジュール性および互換性を欠いている。
【０００４】
フード形呼吸装置の例が、特許文献１に記載され、ハーフまたはフルフェイス呼吸マスクとともに使用する、かつ空気が供給される呼吸装置フードとして使用する保護用呼吸装置フードを開示する。提供された柔らかいフード材料の一部が、この場合使用者の鼻および口の上で密閉される呼吸装置と一体化される。
【０００５】
保護用呼吸装置フードの他の例が、特許文献２および特許文献３に記載されるフードを含む。特許文献２の特許は、一体化レンズパネル付きの呼吸装置フードを記載する。呼吸装置フードのレンズを介して取り付けられた負圧カートリッジの使用もまた行われる。特許文献３の特許は、光学上透明なレンズパネルとともに使用する柔らかい透明な膜部品付きの呼吸装置フードを記載する。透明な膜アレイは使い捨てできるが、異なる種類のフードまたは面体呼吸装置と取り換えて使用されるように設計されない。さらに重要なことには、レンズパネル自体がフードと一体化され、モジュール性を全く有しない。
【０００６】
ミネソタ・マイニング・アンド・マニュファクチャー・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）（ミネソタ州、セントポール（Ｓｔ．  Ｐａｕｌ））は、様々な種類の環境に対して使い捨て可能な、かつ取り換え可能なフィルタおよびカートリッジを使用する、（３Ｍ６０００シリーズ呼吸装置のような）種々の呼吸装置組立品を製作する。しかしながら、これらの呼吸装置は顔面シールドを取り換えることができない。
【０００７】
上述の保護用呼吸装置の各々において、ある程度の部品交換が達成できるけれども、そのような変化は、選択可能な呼吸素子、使い捨て可能なレンズシールド、および種々の方式の給気の範囲から選ぶように限定される。
【０００８】
使用の汎用性および分野設定可能性を制限する、現用の呼吸装置フード設計の欠点が、フードおよびシールドの一体化性状にある。従来の呼吸装置設計において、フード素子およびシールドの互換性を可能にする備えは全く行われない。同様に、従来技術の設計は、呼吸装置フードと全面体呼吸装置との間のシールド部品の互換性を意図しない。
【特許文献１】
米国特許第４，６１９，２５４号（モレッティ（Ｍｏｒｅｔｔｉ）氏等）明細書
【特許文献２】
米国特許第４，４８４，５７５号（ブロックウェイ（Ｂｒｏｃｋｗａｙ）氏）明細書
【特許文献３】
米国特許第４，５４２，５３８号（モレッティ（Ｍｏｒｅｔｔｉ）氏）明細書
【特許文献４】
米国特許第５，９２４，４２０号（レイシェル（Ｒｅｉｓｃｈｅｌ）氏等）明細書
【特許文献５】
米国特許第５，０７７，８７０号（メルバイ（Ｍｅｌｂｙｅ）氏等）明細書
【特許文献６】
米国特許第５，５０８，０８４号（リーベス（Ｒｅｅｖｅｓ）氏等）明細書
【発明の開示】
【発明が解決しようとする課題】
【０００９】
本発明は、モジュール部品、具体的にいえば交換できる顔面シールド部品を用いて、呼吸装置フード、フルフェイス呼吸装置、あるいは任意の他の類似または同じ呼吸装置として構成され得る呼吸装置設計を施すことによって、上述の困難を克服する。
【課題を解決するための手段】
【００１０】
一実施形態において、第１構成の呼吸装置が、交換できるレンズ部品を第１構成から取り外し、それを第２構成へ装着することによって、第２構成の呼吸装置に取り換えられ得る。一実施形態において、交換できる顔面シールド部品は単に顔面レンズである。別の実施形態において、しかしながら、交換できる顔面シールド部品は顔面レンズ、およびレンズの周りに取り付けられる全面体シールを含む。この後の実施形態において、交換できる顔面シールドは、適当な呼吸手段に連結される場合、全面体呼吸装置自体として作用するが、フードを全面体呼吸装置に重ね合わせることによって、フード呼吸装置に取り換えられ得る。
【００１１】
さらに、本発明は、特殊工具（またはどんな工具も）を必要としないで、２つの構成（例えば、フードおよび全面体）の間で現場で取り換えられ得る。現場での取り換えは、バンド素子と併せてラチェッティングまたはラッチ機構の使用によって達成されて、共通の面シールド部品と（全面体シールまたはフードのような）身体シールとの間に連結およびシールを施すことがあり得る。一実施形態において、微細構造シーリングを用いる新規な締め具が使用されて、フルフェイスまたはフード素子をレンズ部品に取り付ける。
【発明の効果】
【００１２】
全面体呼吸装置から種々のフード形呼吸装置へ、または逆に、あるいはある型のフード形呼吸装置から別の型のフード形呼吸装置へ変化する能力が、この発明の著しい特徴である。これは、面体、レンズフレーム、レンズ、ヘルメット、サスペンション、および種々のフード組合せから成る、特別に設計された部品の使用によって達成される。一好ましい実施形態において、身体シールおよび共通の面シールド部品は、レンズの周りに締め付けられたレンズフレームを介して連結される。レンズフレームは、使用者、およびそれに取り付けられたフードまたは全面体のどちらかによって容易に分解される。代替として、レンズフレームは、工具または特殊装置を必要としないで分解および再組立を可能にする固定部品を有する。このモジュール性は使用者に、呼吸装置を使用者の特別の必要に合わせて変えて、節約および便利の両方を実現する能力を与える。さらに使用者は、使い古した、汚れた、または汚染された部品を必要に応じ、かつ要望どおりに交換できる。この発明のさらなる利点は、種々のフードが他の呼吸装置部品と、従来のゆったりした型からぴっちりしたフードへ交換できることである。これは使用者に、エアコンプレッサからパイプおよびホースを経由する、または電動ファン付き呼吸装置（ＰＡＲＲ）からの空気供給を利用する能力を与える。ぴっちりしたフードで、正圧空気が使用者に自給式呼吸装置（ＳＣＢＡ）によって供給されることが可能であり、または呼吸装置は負圧モード（そこでは使用者はフィルタを通して空気を吸入する）で使用され得る。
【００１３】
本発明は、下に挙げる図面を参照してさらに説明されるであろう。そこで同じ構造がいくつかの図にわたって同じ数字で呼ばれる。
【００１４】
上に識別された図面は本発明のいくつかの好ましい実施形態を示すのに対して、他の実施形態もまた、説明で留意されるように、考えられる。あらゆる場合に、この開示は説明によって制限無しに本発明を表わす。この発明の原理の範囲および精神に含まれる、多数の他の変更態様および実施形態が、当業者によって案出され得ることを理解する必要がある。
【発明を実施するための最良の形態】
【００１５】
本発明は、使用者の要望および状態に応じて、全面体呼吸装置またはフード形呼吸装置のどちらかに取り換えられ得るモジュール式呼吸装置に関する。本発明に従って、完全な呼吸装置構成が、（１）交換可能な顔面シールド部品と、（２）交換可能な顔面シールド部品と連結し、接触縁に沿って顔面シールド部品とシールを形成するのに適当である、取り外し可能な身体シールと、（３）空気供給パイプ、呼吸気道、およびフィルタ部品を含む呼吸ガス供給経路（呼吸手段）とを備えるとして、一般的に説明され得る。一実施形態において、しかしながら、呼吸手段の一部または全部が顔面シールド部品と連結され、交換可能な顔面シールド部品の一部と考えられる。
【００１６】
様々の型の実施形態において、交換できる顔面シールド部品は次のうちのどれかであり得る。すなわち（１）裸の顔面レンズ、（２）レンズの周りに延在するレンズフレーム付きの顔面レンズ、（３）必要な呼吸手段を受け入れる受け口付きの顔面レンズ、（４）呼吸手段に連結される顔面レンズ、（５）ハーフフェイスマスクまたはノーズカップに連結される顔面レンズ、（６）全面体シールに連結される顔面レンズ、および（７）上記の任意の実際的組合せ。従って、交換できる顔面シールド部品は顔面レンズを常に含むが、いくつかの実施形態において、上に識別された、レンズに取り付けられる他の部品もまた含む。顔面レンズは、透明レンズ、着色レンズ、コーティングレンズ、または狭い範囲の光スペクトラム（例えば、ＵＶ光）を透過する特殊レンズのような、技術上知られている任意の型である。
【００１７】
上の構成のどれかを「交換可能な顔面シールド部品」として指名することは、部品は全体として交換されることを示唆するだけであるが、部品は単一の一体化ユニットとして構成されて、呼吸手段、ハーフフェイスマスク、ノーズカップ、または全面体シールのような、部品の任意の部分のさらなる互換性を妨げることを示唆しないことを理解する必要がある。従って、モジュール性および互換性は、全ての部品はモジュール式に製作されるけれども、これらの部品は必ずしもたった１回の取り換えで取り外されるか、または交換されるとは限らないという点で、拡張可能であることが本発明の特徴である。
【００１８】
身体シールおよび顔面レンズを用いる、どんな呼吸装置設計も、本発明を使って潜在的に有効である。例示的身体シールが、全面体シール（例えば、図１参照）、呼吸装置フード（例えば、図２参照）、または全身呼吸装置スーツを含むだろう。本発明において、全面体シール付きの呼吸装置フードがやはり呼吸装置フードとみなされることを理解する必要がある。同様に、全面体シール付きの全身呼吸装置スーツがやはり全身呼吸装置スーツとみなされる。
【００１９】
交換できる顔面シールド部品は、顔面レンズの周辺縁の周りに周辺シーリング縁を有する。そのシーリング縁は、レンズ自体上に、および／またはレンズに取り付けられた顔面シールド部品の少しの他の部分上にある。身体シールは、交換可能な顔面シールド部品を受け入れるために前面開口を有する。シールは、顔面シールド部品の周辺シーリング縁および身体シールの前面開口の縁に沿って形成され得る。顔面シールド部品と身体シールとの間に形成されたシールは、汚染物質が呼吸装置の内部へ侵入するのを防止するのに少なくとも有効である（場合によっては、このシールは密封したガス気密シールであるが、必ずしもそうではない）。一実施形態において、レンズ自体の一体の周辺縁は、顔面シールド部品の周辺シーリング縁である。別の実施形態において、交換可能な顔面シールド部品は、顔面レンズと、レンズの周りに取り付けられたレンズフレームとを備える。この場合、レンズ自体の外周辺縁でなくてレンズフレームのそれが、顔面シールド部品の周辺シーリング縁である。
【００２０】
さらに別の実施形態において、交換可能な顔面シールド部品は、顔面レンズと、レンズと一体に、または交換できるように結合された全面体シールとを備える。この実施形態において、レンズの周辺縁は周辺シーリング縁を画定する。全面体シールは、レンズの周辺縁に沿ってレンズの周りに取り付けられた、レンズ結合フレームまたはブラケットを用いて、レンズに結合されることが好ましい。求められる場合、結合フレームまたはブラケットは取り外され、フードが全面体シールに重ね合わされ、結合フレームまたはブラケットは取り換えられ、フードおよび全面体シールの両方をレンズの一体の周辺縁に沿って固定するために、再び締め付けられる。フードがそのように重ね合わされる場合、シールが、顔面シールド部品の周辺シーリング縁、全面体シールのシーリング縁、およびフードの前面開口の周辺縁に沿って画定される。
【００２１】
代替として、全面体シールは、接触縁に沿ってフレームまたはブラケットを用いずにレンズに結合される。そのような結合は、微細構造のシーリングおよび保持素子を使用する機械的留め具を用いて達成される。そのように結合される場合、全面体シールの周辺縁およびレンズの周辺縁は、随意の第２周辺シーリング縁を画定する。求められる場合、フードは全面体シールを取り外さずに全面体シールに重ね合わされ得る。フードがそのように重ね合わされる場合、シールが、フードと顔面シールド部品との間に、顔面シールド部品の第２周辺シーリング縁およびフードの前面開口の周辺縁に沿って画定される。結合フレームまたはブラケットが、機械的留め具のような適当な結合手段を用いて、全面体シールおよびレンズを結合するために使用される場合でさえも、フードは、結合フレームまたはブラケットを取り外さずに、交換できる顔面シールド部品に結合されることを理解する必要がある。
【００２２】
本発明のモジュール性は、使用者が個人的または環境の理由によって必要とされる呼吸装置の型を選択することを可能にすることによって、著しい利点を与える。例えば、低レベルの汚染物質が、使用者が負圧モードを使用する全面体呼吸装置を使用することを可能にする。より高いレベルの保護が要求されるか、またはより多くの快適が望まれる場合、使用者は、呼吸装置をぴっちりしたフード、および電動ファン付き呼吸装置（ＰＡＰＲ）によって供給されるろ過空気のような正圧空気供給装置に取り換えできる。代替として、他の空気供給装置が選択され得る（例えば、圧縮空気装置および自給式呼吸装置（ＳＣＢＡ））。具体的にいえば、全面体呼吸装置が、フィルタおよびカートリッジ付きの負圧空気供給モード、空気圧縮器に連結された送気管付きの空気供給モード、ＳＣＢＡ、またはＰＡＰＲを使用できる。そのような全面体呼吸装置は通常透明な顔面レンズを含み、交換式フィルタ素子または空気源へのコネクタを受け入れる、マウントまたは開口部も含む。そのようなマウントまたは開口部は、３Ｍ全面体呼吸装置７０００シリーズのような呼吸に適した空気源に連結する面体に機械的に取り付けられた、個々の取り付け金具に形成されるか、または特許文献４で開示されるように、顔面レンズに一体形成される。本発明によって、全面体呼吸装置が、呼吸手段を交換する必要なしに、ぴっちりしたフード形呼吸装置（例えば、全面体呼吸装置に結合されたフード）に容易に取り換えられ得るので、空気供給の全ての上のモードもまたぴっちりしたフード形呼吸装置に利用できる。３ＭのＨ−６００シリーズのような、ゆったりしたフード構成で、空気供給はＰＡＰＲまたは適当な空気源からの給気であり得る。空気は、３ＭのＨ−６００シリーズのように背部からか、或いは特許文献２で開示されるような首係合ラフを用いて供給され得る。本発明によって、ゆったりしたフードはモジュール式顔面レンズを使用するために適合されることが可能であり、結果として、モジュール式顔面レンズの交換が、ＰＡＰＲのような個別の空気供給を変えたり、損なったりせずに行われ得る。
【００２３】
１つの呼吸装置構成から別のものへの交換可能性に加えて、取り換え可能性の利点もある。レンズ、面体、またはフードのような部品が使い古されたり、汚れたりすれば、それらの部品は現場で容易に素早く交換され得る。
【００２４】
本発明のモジュール性および互換性は、３つの異なるグループの好ましい実施形態を用いてさらに示される。交換できる顔面シールド部品を提供しない、図１および２に示されるような従来技術による呼吸装置に対比して、本発明の各実施形態において、呼吸装置は、共通の交換できる顔面シールド部品と、交換できる顔面シールド部品と結合して、顔面シールド部品とのシールをそれらの個々の接触縁に沿って形成するのに適した、複数の取り外しできる身体シールとを備える。
【グループＩ実施形態】
【００２５】
図３に示されるように、グループＩ実施形態において、交換できる装置の共通部品２は、レンズの付属品の無い、裸の顔面レンズ３である。
１つの好ましい実施形態において、例えば、顔面レンズ３は、全面体呼吸装置５において、レンズ３を全面体シール６から分離させることによって、そのための開口４から取り外され得る。次いで、レンズ３はフード８の同じ開口７に密閉して取り付けられ得る。空気または空気ろ過を呼吸装置５に与える、それらの呼吸部品１０がレンズから分離する。同様に、フード８への空気供給（図示せず）が顔面レンズ３から分離する。顔面レンズ３は光学レンズであることをしばしば要求され、従って製作費が割高であるので、グループＩ実施形態は、使用者が、空気供給の好ましいモードを妨げずに、顔面レンズ３を交換して使用するのを可能にする。
【グループＩＩ実施形態】
【００２６】
図４に示されるように、グループＩＩ実施形態において、交換できる装置の共通部品２２は、必要な呼吸部品２０に一体に結合されるか、或いは分離できるように結合される顔面レンズ２４である。しかしながら、共通部品２２はレンズ２４の後に全面体シールを含まない。そのような共通部品２２は本質的に全面体シール２６無しの全面体呼吸装置である。使用者が全面体呼吸装置で始めると仮定すれば、使用者は、共通部品２２を全面体シール２６の開口２５から分離し、共通部品２２をフード２８のような第２身体シールの同じ開口１２７へ移すことによって、共通部品（すなわち、結合された呼吸部品２０付きのレンズ２４）を全面体呼吸装置から取り外しできる。従って、グループＩＩ実施形態は、使用者が、全面体シール２６を種々のフード２８と交換して、特定の汚染物質および害に対して特別の保護を与えることを可能にする（逆もまた同様）。呼吸部品２０は、レンズ２４に結合された場合、取り換えへ進められるが、さらなる互換性を助長するようにもまた適合される。
【００２７】
図５に示されるように、共通部品１２２の呼吸部品１２０がハーフフェイスマスクまたはノーズカップ１３２を含み、これはレンズ１２４と一体化されるか、或いは互換性または廃棄性をさらに助長するように構成されることを理解する必要がある。ハーフフェイスマスクまたはノーズカップ１３２がレンズ１２４に取り付けられる場合、固定用ベルトが、ハーフフェイスマスクまたはノーズカップを使用者の顔に締め付けるために必要である。フード内でそのような作業を達成することが可能であるけれども、フード１２８に取り付けられ、フード１２８の外側から、好ましくは使用者の背後から締め付けられ（または緩められ）得る、調整できる固定用ベルト１３４を設けることは、ずっと便利で実際的である。ハーフフェイスマスクまたはノーズカップ１３２がレンズ１２４に連結され、レンズはフード１２８に連結されるので、そのような固定用ベルト１３４は、ハーフフェイスマスクまたはノーズカップ１３２を使用者の顔に締め付けるように適合され得る。
【グループＩＩＩ実施形態】
【００２８】
図６に示されるように、グループＩＩＩ実施形態において、共通部品２４２は、全面体シール２４６に結合された顔面レンズ２４４を含む。
使用者が、全面体シール２４６を取り外す必要なしに、フード２４８をレンズ２４４にさらに結合させ得る。これは、フード２４８を全面体シール２４６に重ね合わせることによって達成される。この結果が、図７に示されるような、全面体シール２４６を取り付けたフード２４８を備える呼吸装置２５０である。このフードを全面体シールに重ね合わせることは、上述のようにいくつかの様々な方法で行われ得る。１つの好ましい実施形態において、例えば、全面体シール２４６は、レンズ２４４の周りにレンズ２４４の周辺縁２４９に沿って取り付けた、２つの半体２４５ａおよび２４５ｂを備えるレンズ結合フレーム２４５を用いて、レンズ２４４に結合されることが好ましい。複数のネジ込み留め具２５１が、結合フレーム半体２４５ａおよび２４５ｂを一緒に取り付けるために使用され得る。求められる場合、結合フレーム２４５は取り外され、フード２４８は全面体シール２４６に重ね合わされ、結合フレーム２４５は交換され、フード２４８および全面体シール２４６の両方をレンズ２４４の周辺縁に沿って取り付けるために、再び締め付けられる。反対に、いったんフードモードで構成されると、発明装置は、フードを簡単に取り外すことによって、全面体呼吸装置に変えられ得る。代替として、フードは異なるフードによって置き換えられる。
【００２９】
グループＩＩＩ実施形態において、顔面レンズは次のどれかであることを理解する必要がある。すなわち、裸のレンズ、空気供給パイプ用のガス出入口またはコネクタを受け入れるために表面に形成された開口部付きのレンズ、または必要な呼吸手段に結合されたレンズ。
【００３０】
上記の説明は交換できる顔面シールド部品を「共通部品」と呼ぶが、そのような呼称は例示の目的のためだけに行われることをさらに理解する必要がある。身体シールのような、他の部品が特定の取り換えでは共通部品である。例えば、使用者がフード形呼吸装置で始め、次いで、フードを保ちながら、顔面シールド部品を異なる顔面シールド部品と交換する。この場合、フードは上記の説明の意味において共通部品である。
【００３１】
図６に示されるように、交換できる顔面シールド部品および身体シールを密閉して結合するために使用される結合フレーム２４５に加えて、ブラケット、バンド、クランプ、またはラッチのような、他の締結装置が使用される。さらに、微細構造のシーリング機構を用いる留め具のような、種々の留め具が同じ目的のために使用され得る。これらの留め具は、別個の機械的締結装置の助け無しに、２つの対向する面をともに密閉するために使用され得る。これらの留め具の中に、よく知られている面ファスナ、および特許文献５に開示されるキノコ状フックストリップが含まれる。協力するシーリング部品上の対向した縁部分間の摩擦接触および／またはシーリング特性もまた、対向した面の１つまたは複数を特許文献６に開示されるような、微細構造の面構成、または技術的に知られている、任意の他の同等なものによって高められる。
【００３２】
本発明は好ましい実施形態を参照して説明されたが、技術上の熟練者は、変更が本発明の精神および範囲を逸脱することなしに形式上かつ詳細に行われることを認識するであろう。
【図面の簡単な説明】
【００３３】
【図１】特許文献４に記載されるような、従来技術による全面体呼吸装置の正面斜視図である。
【図２】組み込まれたヘッドサスペンションを有する３Ｍシリーズフードのような、典型的な従来技術による呼吸装置フードの正面斜視図である。
【図３】共通部品が全面体シールまたはフード身体シールのどちらかに交換できるように適合し得る、裸の顔面レンズである、本発明のグループＩ実施形態の正面図である。
【図４】共通部品が呼吸手段に取り付けられた顔面レンズである、本発明のグループＩＩ実施形態の正面図である。共通部品は全面体シールまたはフードのどちらかに交換できるように適合し得る。
【図５】呼吸手段に取り付けられた交換できる顔面レンズ、およびフードに取り付けられるノーズカップの側面図である。フードは、ノーズカップを使用者の顔に締め付けるために使用され得る固定用ベルトを有する。
【図６】全面体シール付きの呼吸装置フードに取り換えられる全面体呼吸装置の側面図である。
【図７】フードを全面体シールに重ね合わせることによって、全面体呼吸装置から取り換えられる、全面体シール付きの呼吸装置フードの斜視図である。
【符号の説明】
【００３４】
２  共通部品
３  レンズ
４  開口
５  呼吸装置
６  全面体シール
７  開口
８  フード
１０  呼吸部分
２０  呼吸部品
２２  共通部品
２４  レンズ
２５  開口
２６  全面体シール
２８  フード
１２７  開口
１２０  呼吸部品
１２２  共通部分
１２４  レンズ
１２８  フード
１３２  ノーズカップ
１３４  固定用ベルト
２４２  共通部品
２４４  顔面レンズ
２４５  レンズ結合フレーム
２４５ａ  レンズ結合フレームの半体
２４５ｂ  レンズ結合フレームの半体
２４６  全面体シール
２４８  フード
２４９  周辺縁
２５０  呼吸装置
２５１  ネジ込み留め具
【図１】
2004523277.tif 000003
【図２】
2004523277.tif 000004
【国際公開パンフレット】
2004523277.tif 000005
2004523277.tif 000006
2004523277.tif 000007
2004523277.tif 000008
2004523277.tif 000009
2004523277.tif 000010
2004523277.tif 000011
2004523277.tif 000012
2004523277.tif 000013
2004523277.tif 000014
2004523277.tif 000015
2004523277.tif 000016
2004523277.tif 000017
2004523277.tif 000018
2004523277.tif 000019
2004523277.tif 000020
2004523277.tif 000021
2004523277.tif 000022
2004523277.tif 000023
2004523277.tif 000024
2004523277.tif 000025
2004523277.tif 000026
2004523277.tif 000027
【国際公開パンフレット（コレクトバージョン）】
2004523277.tif 000028
2004523277.tif 000029
【手続補正書】
【提出日】平成15年7月16日(2003.7.16)
【手続補正１】
【補正対象書類名】明細書
【補正対象項目名】特許請求の範囲
【補正方法】変更
【補正の内容】
【特許請求の範囲】
【請求項１】
呼吸装置マスクを第１型の身体シールから第２型の身体シールへ取り換える方法であって、
呼吸装置マスクは顔面レンズを有し、該レンズはレンズの周りに延在する周辺シーリング縁を有し、
レンズの周辺シーリング縁と第１型の身体シールのレンズ開口との間のシールをはずす工程と、
レンズを第１型の身体シールのレンズ開口から取り外す工程と、
レンズを第２型の身体シールのレンズ開口内に整列させる工程と、
レンズの周辺シーリング縁と第２型の身体シールのレンズ開口との間にシールを形成する工程と、を含む方法。
【請求項２】
上記第１型の身体シールが、全面体シール、呼吸装置フード、および全身呼吸装置スーツからなる群より選択される請求項１に記載の方法。
【請求項３】
上記第２型の身体シールが、全面体シール、呼吸装置フード、および全身呼吸装置スーツからなる群より選択される請求項２に記載の方法。
【請求項４】
上記呼吸装置マスクが、上記レンズの上記周辺シーリング縁の対向した縁部分および上記第１型の身体シールの上記レンズ開口を付勢するクランプ素子を有し、上記取り外す工程がクランプ素子を緩める工程を含む請求項１に記載の方法。
【請求項５】
上記緩める工程が、上記クランプ素子の対向したネジ込み留め具を引き離す工程を含む請求項４に記載の方法。
【請求項６】
上記緩める工程が、上記クランプ素子を上記呼吸装置マスクから弾力的に離脱させる工程を含む請求項４に記載の方法。
【請求項７】
上記緩める工程が、上記クランプ素子のラッチ機構を取り外す工程を含む請求項４に記載の方法。
【請求項８】
上記緩める工程が工具を全く必要としない請求項４に記載の方法。
【請求項９】
対向した縁部分の１つまたは両方が微細構造のシーリング面を含む請求項４に記載の方法。
【請求項１０】
対向した縁部分が、協働する機械的係合面を含む請求項４に記載の方法。
【請求項１１】
第１型の身体シールが全面体呼吸装置であり、
第２型の身体シールがフード呼吸装置である請求項１に記載の呼吸装置マスクを取り換える方法。
【請求項１２】
フード呼吸装置であって、
前面開口を有する頭を覆う部分と、着用者の首、肩、または他の体の表面でシールを形成するために構成された身体シーリング部分とを有する覆いと、
周辺シーリング縁を有する、交換できる顔面シールド部品と、
覆いのレンズ開口と交換できる顔面シールド部品の周辺シーリング縁との間の離脱できる継手であって、顔面シールド部品は、覆いに気密状態で取り付けられる第１係合状態と、交換できる顔面シールド部品を覆いから取り外すことができる第２解放状態とを有する継手と、
フードに流体結合された、呼吸に適したガス供給経路と、を備えるフード呼吸装置。
【請求項１３】
上記交換できる顔面シールド部品が顔面レンズであり、
上記前面開口がレンズ開口である請求項１２に記載のフード呼吸装置。
【請求項１４】
上記周辺シーリング縁がレンズの一体化した周辺縁である請求項１３に記載のフード呼吸装置。
【請求項１５】
上記顔面レンズの周りに配置されたレンズフレームであって、上記周辺シーリング縁がレンズフレームの周囲縁であるレンズフレームをさらに備える請求項１３に記載のフード呼吸装置。
【請求項１６】
上記離脱できる継手が、対向したネジ込み部材、対向した縁部分に沿って少なくとも部分的に延在する伸縮するバンド、およびラッチ機構からなる群より選択される請求項１３に記載のフード呼吸装置。
【請求項１７】
対向した縁部分の１つまたは両方が、微細構造のシーリング面を含む請求項１３に記載のフード呼吸装置。
【請求項１８】
対向した縁部分が、協働する機械的係合面を含む請求項１３に記載のフード呼吸装置。
【請求項１９】
上記レンズに連結された全面体シールを含み、
上記覆いが、係合を解くことができる継手を介して、覆いの上記レンズ開口とレンズの周りに延在する周辺シーリング縁との間で、全面体シールに重ね合わされる請求項１３に記載のフード呼吸装置。
【請求項２０】
上記呼吸に適したガス供給経路が、上記フードと、上記覆いを介して、流体連通する請求項１３に記載のフード呼吸装置。
【請求項２１】
上記呼吸に適したガス供給経路が、上記フードと、上記レンズを介して流体連通する請求項１３に記載のフード呼吸装置。
【請求項２２】
上記交換できる顔面シールド部品が、顔面レンズを有する呼吸装置マスクである請求項１２に記載のフード呼吸装置。
【請求項２３】
上記呼吸に適したガス供給経路が、マスクに、レンズを介して、連結される請求項２２に記載のフード呼吸装置。
【請求項２４】
上記呼吸装置マスクが全面体シールを有し、
上記覆いが、上記係合を解くことができる継手を介して、覆いのマスク開口とマスクの周りの上記周辺シーリング縁との間で、全面体シールに重ね合わされる請求項２２に記載のフード呼吸装置。
【請求項２５】
上記全面体シールが上記呼吸装置マスクから取り外せる請求項２４に記載のフード呼吸装置。
【請求項２６】
上記呼吸装置マスクに取り付けられた固定用ベルトであって、呼吸装置マスクを顔に取り付けるために構成された固定用ベルトをさらに備える請求項２２に記載のフード呼吸装置。
【請求項２７】
上記呼吸装置マスクがノーズカップを有する請求項２２に記載のフード呼吸装置。
【請求項２８】
上記ノーズカップが上記呼吸装置マスクから取り外せる請求項２７に記載のフード呼吸装置。
【請求項２９】
上記フードに取り付けられた留め具であって、上記ノーズカップを鼻または口の上に取り付けるのに適当であり、且つ、フードの外側から締め付けられたり緩められたりされ得る留め具をさらに備える請求項２７に記載のフード呼吸装置。
【請求項３０】
呼吸装置キットであって、
開口が画定される、少なくとも１つの身体シールと、
周辺シーリング縁を有する、少なくとも１つの交換できる顔面シールド部品であって、交換できる顔面シールド部品の周辺シーリング縁と、結合される場合にシールが身体シール及び交換できる顔面シールド部品との間に画定される身体シールの開口とに沿って、各身体シールに選択的に取り外せるように結合され得る交換可能な顔面シールド部品と、
身体シールの各々または交換できる顔面シールド部品に流体結合され得る、呼吸に適したガス供給経路とを備える呼吸装置キット。
【請求項３１】
少なくとも１つの上記身体シールが、第１型の身体シールおよび第２型の身体シールを含む、複数の身体シールを備え、
上記開口がレンズ開口であり、
上記交換できる顔面シールド部品がレンズである請求項３０に記載の呼吸装置キット。
【請求項３２】
上記第１および第２型の身体シールの各々が、全面体シール、呼吸装置フード、および全身呼吸装置スーツからなる群より選択される請求項３１に記載の呼吸装置キット。
【請求項３３】
上記第１型の身体シールが、シールを顔と共に形成できる全面体シールである請求項３１に記載の呼吸装置キット。
【請求項３４】
上記第２型の身体シールが、呼吸装置フードおよび全身呼吸装置スーツからなる群より選択される請求項３３に記載の呼吸装置キット。
【請求項３５】
上記レンズの上記周辺シーリング縁の対向した縁部分およびレンズ開口を付勢するように構成された継手をさらに備える請求項３１に記載の呼吸装置キット。
【請求項３６】
対向する縁部分の１つまたは両方が、微細構造のシーリング面を含む請求項３５に記載の呼吸装置キット。
【請求項３７】
対向する縁部分が、協働する機械的係合面を含む請求項３５に記載の呼吸装置キット。
【請求項３８】
呼吸に適したガス供給経路が、各型の身体シールと、その部分を介して、流体連通するように構成された請求項３１に記載の呼吸装置キット。
【請求項３９】
呼吸に適したガス供給経路が、前記レンズと流体連通するように構成された請求項３１に記載の呼吸装置キット。
【請求項４０】
少なくとも１つの上記身体シールが少なくとも１つの呼吸装置フードであり、
各フードにマスク開口が画定され、
上記交換できる顔面シールド部品が、全面体シールに結合された顔面レンズを有する呼吸装置マスクであり、
フードは全面体シールドに重ね合わされる請求項３１に記載の呼吸装置キット。
【請求項４１】
上記全面体シールが上記マスクから取り外せる請求項４０に記載の呼吸装置キット。
【請求項４２】
上記フードが全身呼吸装置スーツである請求項４０に記載の呼吸装置キット。
【請求項４３】
呼吸に適したガス供給経路が、レンズを介してマスクと流体連通するように構成された請求項４０に記載の呼吸装置キット。
【国際調査報告】
2004523277.tif 000030
2004523277.tif 000031
2004523277.tif 000032